(57)【要約】      （修正有）【課題】自立式のタープにあって、容量的に嵩張らず、また軽量にして持ち運びが容易で、さらに別部材なしで天幕の中央が垂れ下る問題をも解消できるタープを提供する。【解決手段】平面視多角形の各角部の地上に支柱2を起立させると共に各支柱2の上端部分に継手3を介して接続する弾性の棒状梁部材4が平面視多角形内の中央で交差し、且つ各梁部材4が交差する部分をハブジョイント5に係合させて、立体形成した櫓体1と、各継手3又は支柱2の各上部に、それぞれ一体化した係止体6と、櫓体1の各係止体6に引掛けて平面視多角形に沿う形で環状につなぐ全長よりも短い長さの紐材71で環状形成されるか、又は中央に複数本からなる紐材71の一端側を束ねた部位を配したときに、中央から各紐材71の他端までの長さを、中央から各係止体6までの距離よりも短くした第一紐状体7Aからなる紐状体7と、櫓体1の上面を覆う布状天幕8と、を具備する。【選択図】図１
2019108756.tif 000002
【特許請求の範囲】
【請求項１】
平面視多角形の各角部の地上に支柱を起立させると共に各支柱の上端部分に継手を介して接続する弾性の棒状梁部材が前記平面視多角形内の中央で交差し、且つ各梁部材が交差する部分をハブジョイントに係合させて、立体形成した櫓体（１）と、
前記各継手又は前記支柱の各上部に、それぞれ一体化した係止体（６）と、
前記櫓体に一体化した各係止体に引掛けて前記平面視多角形に沿う形で環状につなぐ全長よりも短い長さの紐材で環状形成されるか、又は前記中央に複数本からなる紐材の一端側を束ねた部位を配したときに、前記中央から各紐材の他端までの長さを、前記中央から各係止体までの距離よりも短くした第一紐状体（７Ａ）からなる紐状体（７）と、
前記櫓体の上面を覆う布状天幕（８）と、を具備し、
前記第一紐状体（７Ａ）が各係止体に引掛けて環状形成されるか、又は前記第一紐状体（７Ａ）に係る一端側を束ねた各紐材の他端部分を各係止体に係止して前記各紐材が放射線状に張設されることにより、前記紐材が前記梁部材を弧状に弾性変形させて、前記支柱がつくる前記平面視多角形を一回り小さくするよう、該支柱を引き寄せることを特徴とするタープ。
【請求項２】
前記紐状体（７）が、前記第一紐状体（７Ａ）に代えて、前記各係止体にそれぞれ一端側を取付け、且つ係止具が取着された他端までの各紐材の長さを、該係止具から前記中央までの長さ又は隣接する前記係止体までの長さよりも短くしたこれらの紐材が分離構成された第二紐状体（７Ｂ）からなり、
該第二紐状体（７Ｂ）の前記各係止具が前記中央の一箇所にて係止し合うか又は隣接する係止体に係止することにより、前記紐材が前記梁部材を弧状に弾性変形させて、前記支柱がつくる前記平面視多角形を一回り小さくするよう、該支柱を引き寄せる請求項１記載のタープ。
【請求項３】
前記紐状体（７）が、前記第一紐状体（７Ａ）に代えて、前記平面視多角形の対角線上にある前記係止体の一方に一端側を取付け、且つ前記係止具が取着された他端までの各紐材の長さを、対角線上の他方の前記係止体までの長さよりも短くしたこれらの紐材が互いに分離構成された第三紐状体（７Ｃ）からなり、
該第三紐状体（７Ｃ）の前記各係止具が他方の前記係止体に係止することにより、前記紐材が前記梁部材を弧状に弾性変形させて、前記支柱がつくる前記平面視多角形を一回り小さくするよう、該支柱を引き寄せる請求項１記載のタープ。
【請求項４】
前記平面視多角形が矩形にして、前記中央を矩形の対角線が交わる交差部分とする請求項１乃至３のいずれか１項に記載のタープ。
【請求項５】
前記平面視多角形が平面視正多角形にして、正三角形、正方形、正五角形、又は正六角形である請求項１又は２に記載のタープ。
【請求項６】
前記継手に上端部分が一体化するか又は取着される前記支柱の中心軸と、前記継手に一端側が接続する前記梁部材の中心軸とが逆Ｌ字状に交わり、且つ該支柱と該梁部材の内角が鈍角になるように設定された請求項１乃至５のいずれか１項に記載のタープ。
【発明の詳細な説明】
【技術分野】
【０００１】
本発明は、キャンプ等で設置して、日差しや風,雨などを防ぐタープに関する。
【背景技術】
【０００２】
キャンプなどのアウトドアライフでは、日差しや雨,風等を防ぐ目的で、タープが使用される。タープには、コンパクトに収納できて軽量であるが、立てる時に地面にペグを打ってロープで引っ張って支柱を支えて倒れないようにする非自立式タイプのものがある。しかし、一人での設営は困難で時間がかかり、また地面にペグが打てないと設営できなくなり、さらにペグ打ち箇所も確保しなければならず、狭い区画では対応できない問題がある。
斯かる問題に対し、非自立式タイプに比べれば小スペースで且つペグを打たなくても立てることができる自立式のタープが種々提案されている（例えば特許文献１,２）。
【先行技術文献】
【特許文献】
【０００３】
【特許文献１】特開２０１７−４００５７号公報
【特許文献２】特開２０１５−２２４４５２号公報
【特許文献３】実開平６−６２１４５号公報
【発明の開示】
【発明が解決しようとする課題】
【０００４】
しかるに、自立式のタープにすると、特許文献１,２のように重くなる。例えば特許文献１では支柱2a〜2dに別部材の側面フレーム3で固定する骨組み構造となり、上部が重く、支柱を含め、骨格そのものを頑丈にしなければならず、運搬時に折り畳んでも容量的に大で且つ重くなる欠点があった。
また、天幕（防水シート）の中央が垂れ下がる問題があり、これを解決するには、例えば特許文献３の請求項に記載のごとく「…該張設部材と前記防水性シート裏面との間に介在し、該防水性シートの中央部分を上方に押し上げる短尺支柱」等を要した。
【０００５】
本発明は、上記問題点を解決するもので、自立式のタープにあって、容量的に嵩張らず、また軽量にして持ち運びが容易で、さらに別部材なしで天幕の中央が垂れ下る問題をも解消できるタープを提供することを目的とする。
【課題を解決するための手段】
【０００６】
上記目的を達成すべく、請求項１に記載の発明の要旨は、平面視多角形の各角部の地上に支柱を起立させると共に各支柱の上端部分に継手を介して接続する弾性の棒状梁部材が前記平面視多角形内の中央で交差し、且つ各梁部材が交差する部分をハブジョイントに係合させて、立体形成した櫓体（１）と、前記各継手又は前記支柱の各上部に、それぞれ一体化した係止体（６）と、前記櫓体に一体化した各係止体に引掛けて前記平面視多角形に沿う形で環状につなぐ全長よりも短い長さの紐材で環状形成されるか、又は前記中央に複数本からなる紐材の一端側を束ねた部位を配したときに、前記中央から各紐材の他端までの長さを、前記中央から各係止体までの距離よりも短くした第一紐状体（７Ａ）からなる紐状体（７）と、前記櫓体の上面を覆う布状天幕（８）と、を具備し、前記第一紐状体（７Ａ）が各係止体に引掛けて環状形成されるか、又は前記第一紐状体（７Ａ）に係る一端側を束ねた各紐材の他端部分を各係止体に係止して前記各紐材が放射線状に張設されることにより、前記紐材が前記梁部材を弧状に弾性変形させて、前記支柱がつくる前記平面視多角形を一回り小さくするよう、該支柱を引き寄せることを特徴とするタープにある。
請求項２の発明たるタープは、請求項１で、紐状体（７）が、前記第一紐状体（７Ａ）に代えて、前記各係止体にそれぞれ一端側を取付け、且つ係止具が取着された他端までの各紐材の長さを、該係止具から前記中央までの長さ又は隣接する前記係止体までの長さよりも短くしたこれらの紐材が分離構成された第二紐状体（７Ｂ）からなり、該第二紐状体（７Ｂ）の前記各係止具が前記中央の一箇所にて係止し合うか又は隣接する係止体に係止することにより、前記紐材が前記梁部材を弧状に弾性変形させて、前記支柱がつくる前記平面視多角形を一回り小さくするよう、該支柱を引き寄せることを特徴とする。請求項３の発明たるタープは、請求項１で、紐状体（７）が、前記第一紐状体（７Ａ）に代えて、前記平面視多角形の対角線上にある前記係止体の一方に一端側を取付け、且つ前記係止具が取着された他端までの各紐材の長さを、対角線上の他方の前記係止体までの長さよりも短くしたこれらの紐材が互いに分離構成された第三紐状体（７Ｃ）からなり、該第三紐状体（７Ｃ）の前記各係止具が他方の前記係止体に係止することにより、前記紐材が前記梁部材を弧状に弾性変形させて、前記支柱がつくる前記平面視多角形を一回り小さくするよう、該支柱を引き寄せることを特徴とする。請求項４の発明たるタープは、請求項１〜３で、平面視多角形が矩形にして、前記中央を矩形の対角線が交わる交差部分とすることを特徴とする。請求項５の発明たるタープは、請求項１又は２で、平面視多角形が平面視正多角形にして、正三角形、正方形、正五角形、又は正六角形であることを特徴とする。請求項６の発明たるタープは、請求項１〜５で、継手に上端部分が一体化するか又は取着される前記支柱の中心軸と、前記継手に一端側が接続する前記梁部材の中心軸とが逆Ｌ字状に交わり、且つ該支柱と該梁部材の内角が鈍角になるように設定されたことを特徴とする。
【発明の効果】
【０００７】
本発明のタープは、安定維持できる自立式にして、軽量で且つ場所をとらずにコンパクト化させて収納や持ち運びができ、さらに別部材なしで天幕の中央が垂れ下る問題をも解消できるなど多大な効を奏する。
【図面の簡単な説明】
【０００８】
【図１】実施形態１で、タープの分解斜視図である。
【図２】(イ)が支柱に取着した係止体付き継手へ梁部材を取付ける正面図で、(ロ)は(イ)の部分拡大図である。
【図３】ハブジョンイトを通した梁部材の両端に図２の支柱取着の係止体付き継手を接続した物と、紐状体の説明断面図である。
【図４】係止体付き櫓体の左側係止体へ紐材の他端側係止具を引掛けた姿態の説明断面図である。
【図５】図４の四か所ある係止体に四本の紐材に係る他端側の各係止具をそれぞれ引掛け、梁部材を弧状に弾性変形させた説明断面図である。
【図６】(イ)が図１〜図５で用いたハブジョイントの斜視図、(ロ)〜(ニ)は(イ)に代わるハブジョイントの斜視図である。
【図７】実施形態２で、係止体付き櫓体と紐状体の説明断面図である。
【図８】図７の係止体付き櫓体の説明平面図である。
【図９】図７のIX-IX線矢視断面図で、係止体付き櫓体の係止体に紐状体を引っ掛ける様子を示した説明平面図である。
【図１０】図９の紐状体の被止め具に止め具を係止して環状形成した説明平面図である。
【図１１】係止体周りの拡大縦断面図である。
【図１２】図９に代わる紐状体の他態様図である。
【図１３】図１２の紐状体の係止具を各係止体に引掛け係止して、平面視四角形に沿う形で環状形成した説明平面図である。
【図１４】実施形態３で、係止体付き櫓体とこれに適用する紐状体の説明断面図である。
【図１５】実施形態４で、係止体付き櫓体とこれに適用する紐状体の説明断面図である。
【図１６】実施形態３で、図１４のXVI-XVI線矢視断面図にして、係止体付き櫓体の係止体に紐状体の係止具を引っ掛ける様子を示した説明平面図である。
【図１７】図１６の状態から紐状体に係る各紐材の他端側係止具が中央の一箇所にて係止し合った説明平面図である。
【図１８】実施形態３で、係止体付き櫓体の各係止体に紐状体に係る紐材の一端側取付具を取着した様子を示す説明平面図である。
【図１９】図１８の状態から紐状体に係る各紐材の他端側係止具が隣接する係止体に係止した様子を示す説明平面図である。
【図２０】実施形態４で、図１５のXX-XX線矢視断面図にして、係止体付き櫓体の係止体に紐状体に係る各紐材の一端側取付具を取付けた説明平面図である。
【図２１】図２０の状態から紐状体に係る各紐材の他端側係止具が対角線上の他方の係止体に係止した様子を示す説明平面図である。
【図２２】実施形態５で、図８に代わる係止体付き櫓体と、これに適用する紐状体の説明平面図である。
【図２３】(イ)が図２２の櫓体に用いた係止体と支柱と梁部材の分解正面図、(ロ)がこれらを組付けた説明正面図である。
【図２４】実施形態１〜３で用いたハブジョイントに代わる他態様のハブジョイントの平面図である。
【発明を実施するための形態】
【０００９】
以下、本発明のタープについて詳述する。
（１）実施形態１
図１〜図６は本発明のタープの一形態で、図１はタープの分解斜視図、図２は支柱に取着した係止体付き継手へ梁部材を取付ける説明図、図３は梁部材の両端に係止体付き継手を介して支柱が接続した物と紐状体の説明図、図４は図３の左側係止体に係止具を引掛けた姿態の説明図、図５は図４の四か所ある係止体に各係止具を引掛け係止し、梁部材を弧状に弾性変形させた説明図、図６は(イ)が図１〜図５で用いたハブジョイントの斜視図、(ロ)〜(ニ)は(イ)に代わるハブジョイントの斜視図である。尚、各図を簡略図示し、本発明に直接関係しない構成部分や部材等は省略する。また図面を判り易くするため、図３,図５は紐状体７の結束部７９から紙面垂直手前方向と紙面垂直奥方向へ延びる紐材７１を、図４,図５は紙面奥方で起立する継手３付き支柱２と係止体６の図示を省く。
【００１０】
タープは櫓体１と係止体６と紐状体７と天幕８とを具備する。櫓体１は支柱２と継手３と梁部材４とハブジョイント５とを備える。平面視多角形の各頂点域に在る各角部の地上ＧＬに支柱２を起立させると共に各支柱２の上端部分２１に継手３を介して接続する弾性の棒状梁部材４が平面視多角形内の中央（ここでは中心部）で交差し、且つ各梁部材４が交差する部分を連結継手たるハブジョイント５に係合させて、立体形成される骨組み構成物である。ハブジョイント５は交差する梁部材が中央に向かう数に合わせて、その数の筒部が中心から放射線状に突出する。本実施形態の櫓体１は、図１ごとくの平面視矩形とし、快適に過ごせる解放感あるタープとして機能発揮できる六面体の空間形成用骨組みになっている。
【００１１】
櫓体１の支柱２は、正方形を含む平面視矩形の四隅の地上ＧＬに起立維持できる剛性を有するポールで、天幕８を必要高さに配設できる長さのものが四本用意される。各支柱２は1本ものであるが、分割構成品を釣竿のように連結させたものでもよい。
【００１２】
梁部材４はアルミニウム製や合成樹脂製等の弾性を有する棒状部材である。本発明でいう棒状梁部材４の棒状は軸状の他、パイプ状を含む。梁部材４は図２のごとく一直線状にして、図５のように外力を加えられて弧状に変形しても、元に戻ろうとする形状弾性を有する。ここでは、対角線上に対向する支柱２の上端部分に継手３を介して、一本で冂字状に橋渡しする長さがある梁部材４とする。詳しくは、図２ごとくの継手３に上端部分２１が取着される支柱２の中心軸２ｆと、継手３に一端４１側が接続する梁部材４の中心軸４ｆとが逆Ｌ字状に交わり、且つ該支柱２と該梁部材４の内角θが鈍角になるように設定される。梁部材４は弾性変形し易くするため支柱２よりも断面径が小さく軽い。継手３の梁部材側筒穴３０に支柱上端部分２１を挿入した支柱２付き継手３の梁部材側筒部３ｂに梁部材４の一端４１側を挿着固定する。支柱２に別体の継手３を取着したが、支柱２の上端部分２１に継手３を一体化した物でもよい。一対の継手３付き支柱上端部分２１を一本の梁部材４で冂字状に橋渡ししてなる門型の枠体がワンユニットとなり、これを二組揃える。そして、図１のごとく二本の梁部材４が四本の支柱２をつないでできる平面視矩形の中央で交差し、その交差部分にハブジョイント５を係合させて、櫓体１を形成する。
【００１３】
本実施形態は、図示のごとく二本の梁部材４が矩形の対角線となるようたすき掛け状に交差し、交差部分にハブジョイント５が係合する。ハブジョイント５は、二本の金属製筒体が図６(イ)のように略直交して当接し、その当接箇所を溶接で結合部分５９としたつなぎ部材である。二本の梁部材４の中央部分がハブジョイント５の筒孔５０を貫通し、梁部材４の両端が継手３を介して支柱上端部分２１に接続固定する。ハブジョイント５は梁部材４が交差する箇所をその交差状態で係合保持できれば足り、図６(ロ)〜(ニ)のようなハブジョイント５とすることもできる。図６(ロ)は二本の軸体が直交して結合部分を形成し、四方の軸端面から軸体中心近くまで筒孔５０を形成するが、貫通はしない。斯かる場合、梁部材４の長さは図２(イ)の梁部材４の約半分になる。対向する支柱上端部分２１に取着した継手３に二本の梁部材４の一端側をつなげ、他端側がハブジョイント５を真ん中にして接続して、冂字状に橋渡しする長さの梁部材４になる。図６(ハ)は図６(イ)の筒体５ａをリング孔５１を有するリング５ｂに代えたハブジョイント５、図６(ニ)は図６(イ)の筒体５ａを凹板片５ｃに代えたハブジョイント５である。底板部５２１の両側に側板部５２２を立設させた凹板片５ｃは、下側凹板片の下方側と上側凹板片の上方側が開口する凹溝５２を形成して梁部材４を係合させる。突出し部分５２３が係合後の外れ防止になる。
【００１４】
しかるに、前記櫓体１は、複数の梁部材４をハブジョイント５の一箇所で係合させるだけであり、その箇所でぐらつきやすく骨組みとしての安定感に欠ける。そこで、本発明は係止体６と紐状体７を必須構成要件に加えて、自立式タープの櫓体１として安定維持させる。
【００１５】
係止体６は櫓体１の各継手３又は起立させた前記支柱２の各上部に一体化した紐状体７用引掛け受部である。ここでは、図示ごとくの短環体６１からなる係止体６を、継手３に係る支柱側筒部３ａの筒外面に、該係止体６の突出し方向を該継手３に接続する梁部材４の中心軸４ｆ方向に一致させるようにして固着一体化する。四本の各係止体６は、継手３付き支柱２を図１,図４のように地上ＧＬに起立させると、同じ高さに位置し、継手３から四本の各係止体６でつくる平面視矩形中心部に向くように配される(図９参照)。
【００１６】
紐状体７は、前記中央に複数本からなる紐材７１の一端側を束ねた部位を配したときに、前記中央から各紐材７１の他端までの長さを、前記中央から各係止体までの距離よりも短くした第一紐状体７Ａである。図１ごとくの櫓体１を立体形成し、複数本からなる紐材７１の一端側を結んだ部位を、前記各係止体６でつくる平面視多角形内の中央で該係止体６と同一水平面上においたときに、中央から各紐材７１の他端までの長さを、中央から各係止体６までの距離よりも短くした図１,図３ごとくの紐状の物体である。本実施形態は平面視矩形の各頂点が在る各角部に支柱２,係止体６が配され、その平面視多角形内の中央は平面視矩形の対角線が交わる交点になる。紐状体７の結束部７９を平面視矩形中央(対角線の交点)に合わせた図３でいえば、中央から各紐材７１の他端側までの長さの二倍値Ｌ２が、対向する対角線上で係止体６間の距離Ｌ１よりも短く設定される。これに代え、図９(詳細後述)のごとく、各係止体６に引掛けて各支柱２を四角く環状につなぐ全長よりも短い長さの紐材７１で環状形成される紐状体７Ａであってもよい。
本実施形態は、四本の紐材７１の一端側を結んで結束部７９にし、各紐材７１の他端に図１ごとくのＪ字状した金属製係止具７２が取付けられた第一紐状体７Ａとする。そして、梁部材４を弧状に弾性変形させ、当初の櫓体１の支柱２がつくる平面視多角形を一回り小さくして、各紐材７１の他端部分たる係止具７２を櫓体１にした各係止体６に引掛け係止し、各紐材７１を放射線状に張設する構成とする(図４,図５)。各紐材７１の他端部分たる各係止具７２を各係止体６に引っ掛けて、紐材７１を放射線状に張設させることにより、梁部材４を弧状に弾性変形させて各支柱２を中央へ引き寄せて、各支柱２を結んでできる平面視多角形を一回り小さくする。
【００１７】
天幕８は櫓体１の上面を覆うタープ用の布状部材である。幕本体８１が櫓体１の上面をカバーできる矩形大きさにして、撥水加工された天幕８で、四隅に櫓体１への取付け用紐８２を備える。
【００１８】
前記櫓体１、係止体６、紐状体７、及び天幕８を揃えて、タープが例えば次のようにして組立てられる。
まず、四本の支柱２の上端部分２１をそれぞれ継手３の梁部材側筒穴３０に挿入固定する。次に、二本の梁部材４をハブジョイント５に挿通して係合させ、両者が中央で交差するよう調整後、梁部材４の両端部を前記継手３の梁部材側筒穴３１にそれぞれ挿入固定し、平面視矩形の各角部の地上ＧＬに支柱２をそれぞれ起立させた図１ごとくの櫓体１とする。
続いて、この櫓体１の上面側に天幕８を被せ、取付け用紐８２を支柱２の上端部又は係止体６に結んで、天幕８で櫓体１の上面を覆う。
【００１９】
その後、櫓体１の六面体空間内に作業者が入って、図４のように紐状体７の各係止具７２を各係止体６にそれぞれ引っ掛け係止していく。ここで、紐状体７は各係止体６へ引っ掛けに要する長さよりも紐材７１の長さが短く設定されている。したがって、梁部材４を弧状に弾性変形させ、当初の櫓体１を構成する各支柱２をつないでできる平面視多角形を一回り小さくして、紐状体７の係止具７２をそれぞれの係止体６へ引っ掛けていく。すると、図５のごとく各紐材７１が、各支柱２,梁部材４を紐状体７側へ引き寄せピンと張り、テンションがかった状態になる。紐状体７にテンションがかかった状態、そして梁部材４を弧状に弾性変形させたことによる復元力が、各支柱２、梁部材４、係止体６、及び紐状体７の結合力を高めて一体化し、ぐらつく虞があった櫓体１の骨組みが安定固定し、自立式の所望のタープが組立て完成する。尚、梁部材４の弾性変形は、図示のごとく梁部材４の中央部が上方側へ突き出す弧状になるようにして櫓体１が組立てられる。
【００２０】
（２）実施形態２
本実施形態は、図７〜図１１ごとくのタープである。実施形態１と同様、支柱２は四本である。支柱下端部分２２にゴム盤２３を備える。
継手３は、図１１のように支柱２の中心軸２ｆと梁部材４の中心軸４ｆが、実施形態１と同じく逆Ｌ字状に交わり且つ内角θが鈍角になるよう設定されるが、梁部材４は支柱側筒部３ａの上端部分を越えて、突起部３ｃが突き出す。梁部材側筒部３ｂと突起部３ｃの境界部分に支柱側筒部３ａがＴ字状に交わる継手３とする。さらに、地上ＧＬに起立させた継手３付き支柱２に梁部材４を取付けて櫓体１を組立てると、図１１のごとく継手３の梁部材側筒部３ｂが、0°より大で15°よりも小さい仰角αを有して、梁部材４側に向けて上昇傾斜する継手になっている。
係止体６は支柱側筒部３ａの下端部分に固着した図１１ごとくの鉤片６２とする。櫓体１に組立てられると、係止体６の各張り出し部分６２１が四本の支柱２でつくる平面視矩形の対角線交点へ向かい、その先端から引掛り部分６２２がほぼ垂直上方へ延在し、さらにその先端で支柱側筒部３ａへ向かう戻り部分６２３を備える。
【００２１】
本実施形態の紐状体７は、立体形成された前記櫓体１の各係止体６に引掛けて前記各支柱２を環状につなぐ全長よりも短い長さの紐材７１で環状形成される紐状の第一紐状体７Ａである。図９のごとく直線状になる長い一本の紐材７１の一端にリング状の被止め具７３が取付けられ、他端に鉤状の止め具７４が取付けられている。紐材７１の紐部分を鉤片６２内に収めて各係止体６に引掛け、該紐状体７が図１０のように環状形成されることにより、実施形態１と同様、紐材７１が梁部材４を弧状に弾性変形させて支柱２がつくる図９の平面視多角形を一回り小さくなるよう該支柱２を引き寄せる。櫓体１に組付けられた継手３の梁部材側筒部３ｂが仰角αを有しているので、梁部材４がハブジョイント５のある中央で最も上方に張り出す弧状へと円滑に弾性変形する。梁部材４のこの弾性変形に伴う復元力に抗して、矩形の環状に巻回して紐材７１を引き締めて、被止め具７３へ止め具７４を引っ掛けると、紐状体７の紐材７１が緊縮状態の張った状態になる。梁部材４の弾性変形に伴う復元力が、係止体６付き櫓体１と紐状体７とを張り詰めた状態にして一体強固なものにする。天幕８で櫓体１の上面を覆えば、櫓体１がぐらつかず、自立式の所望のタープになる。
ここでの天幕８は四角い幕本体８１の四隅に、ポケット形成片８３１を縫い糸８３２で縫合し、ポケット穴８３を設ける。図１１のごとくポケット穴８３に突起部３ｃを入れて、天幕８で櫓体１の上面を簡単に覆うことができる。また図示のごとく、四角い幕本体８１の四隅に補強布８５を当てて鳩目の孔８４を開け、該孔８４を突起部３ｃに嵌め入れるようにして天幕８を取り付けてもよい。
【００２２】
図１２,図１３は、図９,図１０の紐状体７に代わる他態様の紐状体７を用いたケース示す。予め図１２ごとくの環状形成された紐状体７になっている。環状になった紐材７１には、係止体６付き櫓体１の各係止体６に対応する四か所の位置に図示ごとくの係止具７２が取付けられている。櫓体１の各係止体６に単に引掛けようとしても、各支柱２の内側で四角く環状につなぐ全長よりも短い長さの紐材７１で環状形成されている。梁部材４を弧状に弾性変形させ、当初の櫓体１に係る支柱２がつくる平面視多角形を一回り小さくなるよう該支柱２を中央側へ寄せて、紐状体７の各係止具７２を各係止体６に引掛けて環状形成する。各係止具７２を各係止体６に引っ掛けて、紐材７１が梁部材４を弧状に弾性変形させて支柱２がつくる平面視多角形を一回り小さくなるよう、該支柱２を引き寄せる構成である。
他の構成は実施形態１と同様で、その説明を省く。実施形態１と同一符号は同一又は相当部分を示す。
【００２３】
（３）実施形態３
本実施形態は、紐状体７が、第一紐状体７Ａに代えて、図１４ごとくの第二紐状体７Ｂからなる。第一紐状体７Ａは一まとまりの紐状の物であったが、第二紐状体７Ｂは支柱２の本数だけばらばらに分かれる紐状体である。後述する第三紐状体７Ｃは第二紐状体７Ｂよりもばらばらになる本数が少ない紐状体になる。櫓体１の各係止体６にそれぞれ一端側を取付け、且つ係止具７２が取着された他端までの各紐材７１の長さを、該係止具７２から平面視多角形(矩形)内の中央(ここでは対角線交点部位)までの長さよりも短くしたこれらの紐材７１が互いにばらばらに分離構成されている。そして、分離したそれぞれの一端側取付具７８を各係止体６に取付け(図１６)、各紐材７１の他端側の各係止具７２が中央の一箇所にて係止し合うことにより、紐材７１が櫓体１の梁部材４を弧状に弾性変形させて支柱２がつくる平面視多角形を一回り小さくなるよう引き寄せることのできるタープとする（図１７）。中央の一箇所にて係止し合い易くするため、係止具７８の一つをリング７２ａにし、他は実施形態１と同じＪ字形状にする。
【００２４】
また、図１６の第二紐状体７Ｂに代えて、図１８ごとくの第二紐状体７Ｂとすることもできる。支柱２の本数分だけ紐材７１が分離独立してばらばらに存在する。図１８の紐状体７Ｂは、各係止体６にそれぞれ一端側を取付け、且つ係止具７２が取着された他端までの各紐材７１の長さを、隣接する係止体６までの長さよりも短くしたこれらの紐材７１が互いに分離構成された第二紐状体７Ｂである。そして、該第二紐状体７Ｂのそれぞれの一端側取付具７８を各係止体６に取付け、各係止具７２が隣接する係止体６に係止することにより、紐材７１が櫓体１の梁部材４を弧状に弾性変形させて、支柱２がつくる平面視多角形を一回り小さくするよう、各支柱２を引き寄せることのできるタープになっている(図１９)。
他の構成は実施形態１，２と同様で、その説明を省く。実施形態１，２と同一符号は同一又は相当部分を示す。
【００２５】
（４）実施形態４
本実施形態は、紐状体７が、第一紐状体７Ａ,第二紐状体７Ｂに代えて、図１５ごとくの第三紐状体７Ｃからなる。図２０で、各支柱２を結んでできる平面視矩形の対角線上にある係止体６の一方に一端側を取付け、且つ係止具７２が取着された他端までの各紐材７１の長さを、対角線上の他方の係止体６までの長さよりも短くしたこれらの紐材７１が互いに分離構成された第三紐状体７Ｃとする。そして、前記各係止具７１が他方の係止体６に係止することにより、紐材７１が梁部材４を弧状に弾性変形させて、支柱２がつくる前記平面視多角形を一回り小さくするよう、該支柱２を引き寄せることのできるタープになっている(図２１)。
他の構成は実施形態１〜３と同様で、その説明を省く。実施形態１〜３と同一符号は同一又は相当部分を示す。
【００２６】
（５）実施形態５
本実施形態は図２２,図２３のような平面視三角形(ここでは正三角形)の櫓体１を形成する。支柱２と係止体６は実施形態２と同じで説明を省く。平面視三角形の各角部に係止体６付き支柱２を起立させるが、櫓体１の平面視三角形の中央(ここでは重心)に配されるハブジョイント５は、その筒体５ａが図２２のような重心を中心にして120°角度間隔で継手３の梁部材側筒部３ｂと対向する三方つなぎ手になっている。
梁部材４は継手３に一端４１を接続し、他端をハブジョイント５に接続する長さとする。ここでは図２３(イ)のように短尺材４ａと長尺材４ｂとを備えた梁部材４とし、継手３付き支柱２に梁部材４を組付けた図２３(ロ)の図示品がワンユニットとして取り扱われる。重心位置に在るハブジョイント５の三方の筒体５ａへ、継手３付き支柱２に組付けた梁部材４の他端側をそれぞれ挿着すると、三角柱の空間形成用櫓体１が組立てられる。短尺材４ａの梁部材４を用いた場合の天幕８,紐状体７と、長尺材４ｂの梁部材４を用いた場合の天幕８,紐状体７とを揃えれば、タープの大きさを適宜変えることができる。
【００２７】
紐状体７は、図２２ごとくの櫓体１を立体形成し、三本からなる紐材７１の一端側を結んだ部位(結束部７９)を各係止体６でつくる平面視三角形の中央で、該係止体と同一水平面上に配したときに、重心から各紐材７１の他端までの長さを各係止体６までの距離よりも短く設定した第一紐状体７Ａである。各紐材７１の他端には実施形態１と同じ係止具７２が取付けられている。係止体６付き櫓体１の上面を天幕８で覆った後、櫓体１の梁部材４を弧状に弾性変形させ、支柱２がつくる平面視三角形を一回り小さくして、各紐材７１の他端部分たる係止具７２を櫓体１に一体化した各係止体６に引掛け係止し、各紐材７１を放射線状に張設すると、タープが出来上がる。係止体６付き櫓体１に紐状体７を取付ければ、ハブジョイント５でのガタつきがない所望のタープになる。
【００２８】
図示を省くが、紐状体７に図９,図１２,図１４等の第一紐状体７Ａ,第二紐状体７Ｂを用いることができる。また、実施形態１〜５では平面視四角形や平面視三角形の各角部の地上ＧＬに支柱２を起立させて、六面体や三角柱の立体形成される櫓体１を形成したが、継手３付き支柱２に梁部材４を組付けた図２３(ロ)に図示する物をワンユニットとして、複数揃えると共に、正五角形や正六角形等に対応する図２４(ハ),(ニ)等に示すハブジョイント５を揃えれば、平面視正五角形や正六角形等の平面視多角形の櫓体１を形成できる。尚、図２４の各品は各筒孔５０を同一平面上に設けたもので、図２４の(イ)は図６で示したハブジョイント５に代わる別態様品、(ロ)は図２２のハブジョイント５の拡大図である。
他の構成は実施形態１〜４と同様で、その説明を省く。実施形態１〜４と同一符号は同一又は相当部分を示す。
【００２９】
（６）効果
このように構成したタープは、組立てた櫓体１が多少ぐらついても、係止体６と紐状体７を具備し、梁部材４を弾性変形させ、支柱２を平面視多角形の各角部に起立させた各支柱２を図５や図１０の鎖線位置から平面視多角形の内方へ絞り込むように引っ張って、係止体６に紐状体７を取付けるので、各支柱２,各梁部材４に紐状体７のテンションが伝播し、櫓体１のぐらつきを止める。梁部材４を弧状に弾性変形させて支柱２がつくる平面視多角形を一回り小さくして、図８や図１２ごとくの第一紐状体７Ａを各係止体６に引掛けて環状形成するか、又は図１ごとくの紐状体７に係る各紐材７１の他端部分を各係止体６に引掛けて各紐材７１を放射線状に張設すると、弾性変形に伴う復元力が梁部材に生まれる。この復元力が係止体６付き櫓体１の各構成部材や紐状体７に働いてこれらを剛体のように一体化させる。櫓体１を構成するハブジョイント５周りで交差する梁部材４のぐらつきがなくなり、櫓体１が安定保持されるので、櫓体１の上面を天幕８で覆えば、所望の自立式タープになる。第二紐状体７Ｂ,第三紐状体７Ｃでも、第一紐状体７Ａと同様の作用が働き、櫓体１が安定保持される。
そして、タープの組立て設営が既述のごとく簡単で、作業者一人でも組み立てることができる。
【００３０】
また、支柱２が支えるのは基本的にタープ本体たる天幕８と細い梁部材４だけになるので、頑強にする必要がない。支柱２の上端部分に継手３を介して接続する弾性の梁部材４が平面視多角形内の中央で交差し、且つ各梁部材４が交差する部分をハブジョイント５に係合させて立体形成される櫓体１であると、軽量にしてコンパクトで、車両運搬も楽になる。特許文献１,２のように容量的に大で且つ重くなる欠点を解消し、キャンプ用品として打ってつけの自立式タープとなる。持ち出すのも簡単で、組み立てれば大きなタープになる。キャンプに用いて食事や昼寝すれば風をダイレクトに感じる優れもののタープになる。さらに、軽量且つ容量的に嵩張らず場所をとらないので、車両に常時積み込んで、防災用タープとしても利用できる。
【００３１】
また、櫓体１の形成で、継手３に上端部分が一体化するか又は取着される支柱２の軸線と、継手３に一端側が接続する梁部材４の軸線とが逆Ｌ字状に交わり、且つ該支柱２と該梁部材４の内角θが鈍角になるように設定されると、紐状体７を各係止体６に引掛けて、梁部材４を弧状に弾性変形させて支柱２がつくる平面視多角形を図５の当初の鎖線状態から一回り小さくする際、支柱２を起立状態に維持して櫓体１を円滑縮小できる。
加えて、紐状体７を各係止体６に引掛けて、梁部材４を弧状に弾性変形させて支柱２がつくる平面視多角形を一回り小さくする際、図５のようにハブジョイント５の箇所が上方に向かうように梁部材４を弧状に弾性変形させると、天幕８の中央が盛り上がるようになり、中央の垂れ下る問題を解決できる。特許文献２のような短尺支柱２等の別部材を要しない。地上ＧＬに起立させた継手３付き支柱２に梁部材４を取付けて櫓体１を組立てた時に、図１１のように梁部材側筒部３ｂに仰角αを有する継手３が採用されると、該継手３に取付けられた梁部材４が弧状に弾性変形する際、ハブジョイント５の箇所が必然的に上方へ向かうように案内ガイドされるので、天幕８の中央が盛り上がる図５のようなタープをよりたやすく形成できるようになる。天幕８に降った雨などをスムーズに流し落とす。
【００３２】
また、平面視矩形の各角部の地上ＧＬに支柱２を起立させて、継手３,梁部材４,ハブジョイント５とで立体形成される櫓体１とすると、簡略構造の櫓体１ながら安定し、且つ開放感があるタープになる。さらに、平面視が正三角形、正方形、正五角形、又は正六角形の各角部の地上ＧＬに支柱２を起立させて、継手３,梁部材４,ハブジョイント５とで立体形成される櫓体１とすると、見栄えが良く且つ安定したタープを得ることができる。
さらに、紐状体７が第一紐状体７Ａのようにひとまとまりであると、保管管理が行い易い。一方、紐状体７が第二紐状体７Ｂや第三紐状体７Ｃのように互いにバラバラの分離構成であると、一部が消耗した場合など、分離構成にあるその紐材７１だけを簡便に取り替えることができるので、維持費を安くできる。
このように本発明のタープは、上述した種々の優れた効果を発揮し、極めて有益である。
【００３３】
尚、本発明においては前記実施形態に示すものに限られず、目的,用途に応じて本発明の範囲で種々変更できる。櫓体１,支柱２,梁部材４,ハブジョイント５,係止体６,紐状体７等の形状,大きさ,個数等は用途に合わせて適宜選択できる。例えば、梁部材４は中実の棒状体としたが、パイプ状の棒状体とすることができる。
【符号の説明】
【００３４】
１              櫓体
２              支柱
２１            上端部分
３              継手
４              梁部材
５              ハブジョイント
６              係止体
７              紐状体
７Ａ            第一紐状体
７Ｂ            第二紐状体
７Ｃ            第三紐状体
７１            紐材
８              天幕
Ｇ              地上
【図１】
2019108756.tif 000003
【図２】
2019108756.tif 000004
【図３】
2019108756.tif 000005
【図４】
2019108756.tif 000006
【図５】
2019108756.tif 000007
【図６】
2019108756.tif 000008
【図７】
2019108756.tif 000009
【図８】
2019108756.tif 000010
【図９】
2019108756.tif 000011
【図１０】
2019108756.tif 000012
【図１１】
2019108756.tif 000013
【図１２】
2019108756.tif 000014
【図１３】
2019108756.tif 000015
【図１４】
2019108756.tif 000016
【図１５】
2019108756.tif 000017
【図１６】
2019108756.tif 000018
【図１７】
2019108756.tif 000019
【図１８】
2019108756.tif 000020
【図１９】
2019108756.tif 000021
【図２０】
2019108756.tif 000022
【図２１】
2019108756.tif 000023
【図２２】
2019108756.tif 000024
【図２３】
2019108756.tif 000025
【図２４】
2019108756.tif 000026